(57)【要約】【課題】一の伝送端末から他の伝送端末にコンテンツデータを配信する伝送システムにおいて、各伝送端末の音声入力、及び音声出力の設定を、容易、かつ適切に制御することができるようにする。【解決手段】伝送管理装置は、第１のセッションが開催される拠点の情報を管理する拠点情報管理部と、第１のセッションが開催される拠点に所属し、第１のセッションに参加する伝送端末の情報を管理する参加端末情報管理部と、第１のセッションにおいて、第１の伝送端末の音声の入力を許可すると共に、第２の伝送端末の音声の入力を禁止する制御を行う音声入力制御部と、第１のセッションに参加する伝送端末のうち、第１の拠点とは異なる第２の拠点に所属する一の伝送端末の音声の出力を許可すると共に、一の伝送端末とは異なる他の伝送端末の音声の出力を禁止する制御を行う音声出力制御部と、を有する。【選択図】図６
2018019133.tif 000002
【特許請求の範囲】
【請求項１】
複数の伝送端末間でコンテンツデータの伝送を行うセッションを管理する伝送管理装置であって、
第１の伝送端末から配信されるコンテンツデータを、前記第１の伝送端末とは異なる第２の伝送端末に配信する第１のセッションが開催される複数の拠点の情報を管理する拠点情報管理部と、
前記第１のセッションが開催される複数の拠点に所属し、前記第１のセッションに参加する伝送端末の情報を管理する参加端末情報管理部と、
前記第１のセッションにおいて、前記第１の伝送端末の音声の入力を許可すると共に、前記第２の伝送端末の音声の入力を禁止する制御を行う音声入力制御部と、
前記第１の伝送端末が所属する第１の拠点とは異なる第２の拠点において、前記第１のセッションに参加する前記伝送端末のうち、一の伝送端末の音声の出力を許可すると共に、前記一の伝送端末とは異なる他の伝送端末の音声の出力を禁止する制御を行う音声出力制御部と、
を有する伝送管理装置。
【請求項２】
前記音声出力制御部は、
前記第１のセッションに参加する前記伝送端末のうち、前記第１の拠点に所属する伝送端末の音声の出力を禁止する制御を行う請求項１に記載の伝送管理装置。
【請求項３】
前記第１のセッションから移行可能な第２のセッションにおいて、
前記音声入力制御部は、
前記第２の伝送端末のうち、一の伝送端末である第３の伝送端末からの要求に応じて、前記第３の伝送端末の音声の入力を許可する制御を行う請求項１又は２に記載の伝送管理装置。
【請求項４】
前記第２のセッションは、
前記第１の伝送端末と前記第３の伝送端末との間で、質疑応答を行うセッションである請求項３に記載の伝送管理装置。
【請求項５】
前記第１のセッションは、
前記第１の伝送端末から、前記第２の伝送端末に伝送されるコンテンツデータを用いて、講演、又は講義を行うセッションである請求項１乃至４のいずれか一項に記載の伝送管理装置。
【請求項６】
請求項１乃至５のいずれか一項に記載の伝送管理装置と、前記伝送管理装置が管理するセッションでコンテンツデータの伝送を行う伝送端末とを含む伝送システムであって、
前記伝送端末は、
前記伝送管理装置からの制御に従って、前記伝送端末の音声の入力を有効、又は無効に制御する音声入力部を有する伝送システム。
【請求項７】
前記伝送端末は、
前記伝送管理装置からの制御に従って、前記伝送端末の音声の出力を有効、又は無効に制御する音声出力部を有する請求項６に記載の伝送システム。
【請求項８】
複数の伝送端末間でコンテンツデータの伝送を行う伝送システムであって、
第１の伝送端末から配信されるコンテンツデータを、前記第１の伝送端末とは異なる第２の伝送端末に配信する第１のセッションが開催される複数の拠点の情報を管理する拠点情報管理部と、
前記第１のセッションが開催される複数の拠点に所属し、前記第１のセッションに参加する伝送端末の情報を管理する参加端末情報管理部と、
前記第１のセッションにおいて、前記第１の伝送端末の音声の入力を許可すると共に、前記第２の伝送端末の音声の入力を禁止する制御を行う音声入力制御部と、
前記第１のセッションに参加する前記伝送端末のうち、前記第１の伝送端末が所属する第１の拠点とは異なる第２の拠点に所属する一の伝送端末の音声の出力を許可すると共に、前記一の伝送端末とは異なる他の伝送端末の音声の出力を禁止する制御を行う音声出力制御部と、
を有する伝送システム。
【請求項９】
複数の伝送端末間でコンテンツデータの伝送を行うセッションを管理する伝送管理装置による伝送管理方法であって、
前記伝送管理装置が、
第１の伝送端末から配信されるコンテンツデータを、前記第１の伝送端末とは異なる第２の伝送端末に配信する第１のセッションが開催される複数の拠点の情報を管理するステップと、
前記第１のセッションが開催される複数の拠点に所属し、前記第１のセッションに参加する伝送端末の情報を管理するステップと、
前記第１のセッションにおいて、前記第１の伝送端末の音声の入力を許可すると共に、前記第２の伝送端末の音声の入力を禁止するステップと、
前記第１のセッションに参加する前記伝送端末のうち、前記第１の伝送端末が所属する第１の拠点とは異なる第２の拠点に所属する一の伝送端末の音声の出力を許可するステップと、
前記第２の拠点に所属し、前記第１のセッションに参加する前記伝送端末のうち、前記一の伝送端末とは異なる他の伝送端末の音声の出力を禁止するステップと、
を含む伝送管理方法。
【請求項１０】
請求項９に記載の伝送管理方法を伝送管理装置に実行させるためのプログラム。
【発明の詳細な説明】
【技術分野】
【０００１】
本発明は、伝送管理装置、伝送システム、伝送管理方法、及びプログラムに関する。
【背景技術】
【０００２】
インターネット等の通信ネットワークを介して、遠隔地との間で遠隔会議を行う伝送システムが普及している。また、このような伝送システムを用いて、通信端末から送信されたコンテンツデータを１つ以上の通信端末にリアルタイムに配信することにより、講演等が行われている。
【０００３】
これに関連する技術として、配信元の通信端末から、配信先の通信端末にコンテンツデータを配信する伝送システムにおいて、配信先の通信端末によるコンテンツデータの送信を制限する技術が知られている（例えば、特許文献１参照）。
【発明の概要】
【発明が解決しようとする課題】
【０００４】
特許文献１に開示された技術によれば、例えば、講演会で講演を行う話者以外のコンテンツデータの送信を制限することにより、トラフィックの増大を防止すると共に、話者以外の音声が、通信端末のスピーカから出力されることを防止することができる。
【０００５】
一方、１つの伝送端末から、複数の伝送端末にコンテンツを伝送する講演会等のセッションでは、講演を行う話者の肉声と、伝送端末のスピーカから出力される音声との間に遅延が発生し、話者の音声が聴き難くなる場合がある。また、コンテンツデータの配信を受ける複数の端末間で遅延時間が異なる場合、複数の伝送端末のスピーカから出力される音声の間でも遅延が発生し、話者の音声がさらに聴き難くなる場合がある。
【０００６】
このような問題を解決するために、従来の技術では、例えば、各伝送端末の利用者等が、マイクのオン／オフ、及びスピーカのオン／オフを適切に切り替える必要があり、手間が掛かると共に、設定のミス等によるトラブルが発生する可能性がある。
【０００７】
本発明の実施の形態は、上記問題点に鑑みてなされたものであって、一の伝送端末から他の伝送端末にコンテンツデータを配信する伝送システムにおいて、各伝送端末の音声入力、及び音声出力の設定を、容易、かつ適切に制御することができるようにする。
【課題を解決するための手段】
【０００８】
上記課題を解決するため、本発明の一実施形態に係る伝送管理装置は、複数の伝送端末間でコンテンツデータの伝送を行うセッションを管理する伝送管理装置であって、第１の伝送端末から配信されるコンテンツデータを、前記第１の伝送端末とは異なる第２の伝送端末に配信する第１のセッションが開催される複数の拠点の情報を管理する拠点情報管理部と、前記第１のセッションが開催される複数の拠点に所属し、前記第１のセッションに参加する伝送端末の情報を管理する参加端末情報管理部と、前記第１のセッションにおいて、前記第１の伝送端末の音声の入力を許可すると共に、前記第２の伝送端末の音声の入力を禁止する制御を行う音声入力制御部と、前記第１のセッションに参加する前記伝送端末のうち、前記第１の伝送端末が所属する第１の拠点とは異なる第２の拠点に所属する一の伝送端末の音声の出力を許可すると共に、前記一の伝送端末とは異なる他の伝送端末の音声の出力を禁止する制御を行う音声出力制御部と、を有する。
【発明の効果】
【０００９】
本発明の実施の形態によれば、一の伝送端末から他の伝送端末にコンテンツデータを配信する伝送システムにおいて、各伝送端末の音声入力、及び音声出力の設定を、容易、かつ適切に制御することができるようになる。
【図面の簡単な説明】
【００１０】
【図１】一実施形態に係る伝送システムの概略図である。
【図２】一実施形態に係る伝送システムにおける通信の概念図である。
【図３】一実施形態に係る講演会のイメージを示す図である。
【図４】一実施形態に係る端末のハードウェア構成の例を示す図である。
【図５】一実施形態に係る伝送管理装置のハードウェア構成の例を示す図である。
【図６】一実施形態に係る伝送システムの機能構成図である。
【図７】一実施形態に係る伝送管理装置が管理する情報の例を示す図（１）である。
【図８】一実施形態に係る伝送管理装置が管理する情報の例を示す図（２）である。
【図９】一実施形態に係る講演会、及び拠点の登録画面の例を示す図である。
【図１０】第１の実施形態に係る参加端末情報の登録処理の例を示すシーケンス図である。
【図１１】第１の実施形態に係る講演会の選択画面の例を示す図である。
【図１２】第１の実施形態に係る拠点の選択画面の例を示す図である。
【図１３】第１の実施形態に係る宛先選択画面の表示処理の例を示すシーケンス図である。
【図１４】第１の実施形態に係る宛先選択画面の例を示す図である。
【図１５】第１の実施形態に係る話者端末の設定処理の例を示すフローチャートである。
【図１６】第１の実施形態に係る拠点代表端末の設定処理の例を示すフローチャートである。
【図１７】第１の実施形態に係る通信処理の例を示すシーケンス図である。
【図１８】第１の実施形態に係る端末の表示画面の例を示す図である。
【図１９】第２の実施形態に係る質疑応答処理の例を示すシーケンス図である。
【図２０】第２の実施形態に係る端末の表示画面の例を示す図（１）である。
【図２１】第２の実施形態に係る端末の表示画面の例を示す図（２）である。
【図２２】第２の実施形態に係る質疑応答処理の詳細な処理の一例を示すフローチャートである。
【発明を実施するための形態】
【００１１】
＜システム構成＞
初めに本実施形態に係る伝送システムのシステム構成について説明する。
【００１２】
図１は、一実施形態に係る伝送システムの概略図である。
【００１３】
伝送システムには、伝送管理装置を介して一方の伝送端末から他方の伝送端末に一方向でコンテンツデータを伝送するデータ提供システムが含まれる。また、伝送システムには、伝送管理装置を介して複数の伝送端末間で情報を相互に伝達するコミュニケーションシステム等が含まれる。
【００１４】
図１において、伝送システム１は、複数の伝送端末（１０ａａ、１０ａｂ、・・・）、各伝送端末（１０ａａ、１０ａｂ、・・・）用のディスプレイ（１２０ａａ、１２０ａｂ、・・・）、中継装置３０、伝送管理装置５０、及びプログラム提供装置９０を含む。複数の伝送端末（１０ａａ、１０ａｂ、・・・）は、伝送端末間で映像データを伝送する。映像データには、例えば、動画データ又は静止画データ、音データ等が含まれる。
【００１５】
なお、以下の説明の中で、「伝送端末」を単に「端末」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表す。さらにまた、通信の開始を要求する要求元としての端末を「要求元端末」と表し、要求先である宛先としての端末は「宛先端末」と表す。
【００１６】
図２は、一実施形態に係る伝送システムにおける通信の概念図である。図２に示されているように、伝送システム１において、要求元端末と宛先端末との間では、伝送管理装置５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、及び音声データの４つの各データを送受信するための４つのセッションが確立される。ここでは、これら４つのセッションをまとめて、画像・音声データ用セッションｓｅｄ（通信セッション）として示している。
【００１７】
図１に戻り、伝送システム１のシステム構成の説明を続ける。
【００１８】
端末（伝送端末）１０は、他の装置（端末）との間で、各種情報を伝送する。端末１０は、例えば、他の端末１０との間で通信セッション（画像・音声データ用セッションｓｅｄ）を確立し、確立した通信セッションにおいて、音データ、画像データ等を含むコンテンツデータの送受信による通信を行う。これにより、伝送システム１において、例えば、１つの端末１０から、他の複数の端末１０に対してコンテンツデータを伝送するデータ提供システム（例えば、講演会、講義、プレゼンテーション、セミナー等を開催する伝送システム）が実現される。
【００１９】
以下、「画像データ及び音データ」を「コンテンツデータ」として表す。なお、端末１０間で伝送されるコンテンツデータは、実施例に限定されるものではない。他の例としては、コンテンツデータは、テキストデータであっても良く、また、他の例としては、コンテンツデータは、音データ、画像データに加えてテキストデータを含むものであっても良い。また、画像データは、動画であっても良く、静止画であっても良い。また、画像データは、動画と静止画の両方を含んでいても良い。
【００２０】
また、本実施形態に係る伝送システム１において、通信セッションを開始する場合、開始を希望するユーザが、所定の端末１０を操作することにより、操作された端末１０は、開始要求情報を伝送管理装置５０に送信する。
【００２１】
ここで、開始要求情報とは、通信セッションの開始を要求する情報であって、セッション相手としての端末１０を指定する情報を含む。
【００２２】
なお、宛先端末（セッション相手）は、１つの端末１０であってもよく、２以上の端末１０であっても良い。すなわち、伝送システム１においては、２つの端末１０間だけでなく、３つ以上の端末１０間で確立された通信セッションを用いて、例えば、講演会等を実現することができる。
【００２３】
さらに、本実施形態に係る伝送システム１においては、既にセッションが確立され、開始している通信セッションに、途中から他のユーザが参加することも可能である。参加を希望するユーザが、所定の端末１０を操作することにより、操作された端末１０は、参加を希望する通信セッション（以下、確立中セッションと称する）を指定した、参加要求情報を伝送管理装置５０に送信する。なお、以下の説明の中で、参加要求情報を送信する端末１０を「参加要求端末」と表す。
【００２４】
伝送管理装置５０は、端末１０及び中継装置３０を一元的に管理する情報処理装置、又は複数の情報処理装置を含むシステムである。伝送管理装置５０は、複数の端末１０間でコンテンツデータの伝送を行う通信セッションを管理する。
【００２５】
伝送管理装置５０は、要求元端末から通信セッションの開始要求情報を受信した場合に、要求元端末と宛先端末の間の通信セッションを確立し、コンテンツデータの伝送を開始させる。伝送管理装置５０は、また、所定の端末１０から既に確立しているセッション（以下、確立中セッションと称する）への参加要求情報を受信した場合に、参加要求端末を、確立中セッションに参加させる。
【００２６】
また、図１に示されている複数のルータ（７０ａ、７０ｂ、７０ｃ、７０ｄ、７０ａｂ、７０ｃｄ）は、コンテンツデータの最適な経路の選択を行う。なお、以下の説明の中で、ルータ（７０ａ、７０ｂ、７０ｃ、７０ｄ、７０ａｂ、７０ｃｄ）のうち任意のルータを示す場合には「ルータ７０」を用いる。
【００２７】
中継装置３０は、複数の端末１０の間で、コンテンツデータの中継を行う。
【００２８】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００２９】
また、プログラム提供装置９０のＨＤには、中継装置３０に各種機能又は各種手段を実現させるための中継装置用プログラムも記憶されており、中継装置３０に、中継装置用プログラムを送信することができる。
【００３０】
さらに、プログラム提供装置９０のＨＤには、伝送管理装置５０に各種機能又は各種手段を実現させるための伝送管理用プログラムも記憶されており、伝送管理装置５０に、伝送管理用プログラムを送信することができる。
【００３１】
また、端末（１０ａａ、１０ａｂ、１０ａｃ、・・・）、及びルータ７０ａは、ＬＡＮ２ａによって通信可能に接続されている。端末（１０ｂａ、１０ｂｂ、１０ｂｃ、・・・）、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３２】
一方、端末（１０ｃａ、１０ｃｂ、１０ｃｃ、・・・）、及びルータ７０ｃは、ＬＡＮ２ｃによって通信可能に接続されている。端末（１０ｄａ、１０ｄｂ、１０ｄｃ、・・・）、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３３】
また、伝送管理装置５０、プログラム提供装置９０、及び中継装置３０は、インターネット２ｉを介して、端末１０と通信可能に接続されている。伝送管理装置５０、中継装置３０、及びプログラム提供装置９０は、地域Ａ又は地域Ｂに設置されていても良いし、これら以外の地域に設置されていても良い。
【００３４】
なお、図１の例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、伝送ネットワーク２が構築されている。この伝送ネットワーク２には、有線だけでなく無線による通信が行われる箇所があっても良い。
【００３５】
また、図１に示す例において、各端末１０、中継装置３０、伝送管理装置５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００３６】
（講演会について）
本実施形態では、図１に示すような伝送システム１を用いて、講演者が、１つの端末１０を用いて、聴講者が利用する他の１つ以上の端末１０にコンテンツデータを伝送することにより、講演を行う講演会（通信セッション）を開催する場合の例について説明する。
【００３７】
なお、講演会は、１つの端末１０を用いて、他の１つ以上の端末１０に対してコンテンツデータを伝送する通信セッションの一例である。講演会は、例えば、講義、授業、プレゼンテーション、セミナー等の講演会以外のコンテンツであっても良い。
【００３８】
図３は、一実施形態に係る講演会のイメージを示す図である。図３に示すように、本実施形態では、講演会は、例えば、拠点Ａ、拠点Ｂのように互いに離れた場所で開催されるものとする。なお、拠点とは、講演を行う講演者や、講演を聴講する聴講者が含まれる会議室、ホール、教室、講堂等の部屋や空間を示すものとする。
【００３９】
図３において、拠点Ａ３０１（第１の拠点）には、講演を行う講演者３０３と、講演者３０３が利用する講演者の端末１０Ａ（第１の伝送端末）とが含まれる。また、拠点Ａ３０１には、講演を聴講する複数の聴講者３０４−１〜３０４−４と、複数の聴講者３０４−１〜３０４−４が利用する聴講者の端末１０Ｂ−１、１０Ｂ−２（第２の伝送端末）とが含まれる。
【００４０】
一方、拠点Ｂ３０２（第２の拠点）には、講演を聴講する複数の聴講者３０４−５〜３０４−９と、複数の聴講者３０４−５〜３０４−９が利用する聴講者の端末１０Ｂ−３、１０Ｂ−４、及び端末１０Ｃとが含まれる。
【００４１】
上記の構成において、講演者の端末１０Ａは、講演の資料等の文書データや、講演者の映像データ（画像データ及び音データ）等を含むコンテンツデータを、聴講者の端末１０Ｂ−１〜１０Ｂ−４、及び端末１０Ｃに配信（伝送）する。
【００４２】
好ましくは、拠点Ａ３０１に設けられた聴講者の端末１０Ｂ−１、１０Ｂ−２は、講演者の端末１０Ａから配信されたコンテンツデータのうち、例えば、講演の資料等の文書を表示画面に表示させる。これは、拠点Ａにいる聴講者３０４−１〜３０４−４は、目視で講演者３０３を視認することができるので、講演者の映像データは必ずしも必要ではないためである。
【００４３】
一方、拠点Ｂ３０２に設けられた聴講者の端末１０Ｂ−３、１０Ｂ−４、及び端末１０Ｃは、例えば、講演の資料等の文書と、講演者の映像を表示画面に表示させる。これにより、拠点Ｂ３０２にいる聴講者３０４−５〜３０４−９は、講演者３０３の様子を把握することができる。
【００４４】
好ましくは、拠点Ｂ３０２に設けられた聴講者の端末１０のうち、拠点代表端末である端末１０Ｃは、講演者の映像に含まれる音声を出力するが、他の端末１０Ｂ−３、１０Ｂ−４は講演者の映像に含まれる音声を出力しない。これは、拠点Ｂに設けられた複数の聴講者の端末１０が出力する音声の遅延時間が異なる場合に、講演者の音声が聴きにくくなることを防止するためである。
【００４５】
本実施形態に係る伝送管理装置５０は、講演が行われる通信セッション（第１のセッション）において、講演者の端末１０Ａのマイクをオンに制御し、聴講者の端末１０Ｂ−１〜１０Ｂ４、及び端末１０Ｃのマイクをオフに制御する。これにより、伝送システム１は、講演会の音声に、講演者３０３以外の声が混ざることにより、講演者の音声が聴き取りにくくなることを低減させることができる。
【００４６】
また、伝送管理装置５０は、講演が行われる通信セッションにおいて、講演者の端末１０Ａ、及び講演者の端末１０Ａと同じ拠点（拠点Ａ３０１）にある聴講者の端末１０Ｂ−１、１０Ｂ−２のスピーカをオフに制御する。これにより、伝送システム１は、拠点Ａ３０１で提供される講演者の音声と、拠点Ａ３０１に設けられた端末１０から出力される遅延した音声とが混ざることにより、講演者の音声が聴き取りにくくなることを低減させることができる。
【００４７】
さらに、伝送管理装置５０は、講演が行われる通信セッションにおいて、講演者の端末１０Ａとは異なる拠点（拠点Ｂ３０２）にある拠点代表端末（端末１０Ｃ）のスピーカをオンに制御し、他の聴講者の端末１０Ｂ−３、１０Ｂ−４のスピーカをオフに制御する。これにより、伝送システム１は、拠点Ｂ３０２において、複数の端末１０から出力される遅延した音声が混ざることにより、講演者の音声が聴き取りにくくなることを低減させることができる。
【００４８】
このように、本実施形態によれば、端末１０Ａから他の端末Ｂ及び端末１０Ｃにコンテンツデータを配信するセッションを管理する伝送システム１において、各端末１０の音声入力、及び音声出力の設定を、容易、かつ適切に制御することができるようになる。
【００４９】
＜ハードウェア構成＞
次に、本実施形態のハードウェアの構成を説明する。
【００５０】
（端末のハードウェア構成）
図４は、一実施形態に係る端末のハードウェア構成の例を示す図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００５１】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００５２】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００５３】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、伝送ネットワーク２を利用して通信するための通信インタフェースである。
【００５４】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００５５】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００５６】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５７】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００５８】
外部機器接続Ｉ／Ｆ１１８には、ＵＳＢ(Universal Serial Bus)ケーブル等によって、外付けカメラ、外付けマイク、及び外付けスピーカ等の外部機器がそれぞれ電気的に接続可能である。
【００５９】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００６０】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００６１】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００６２】
（伝送管理装置のハードウェア構成）
図５は、一実施形態に係る伝送管理装置のハードウェア構成図である。伝送管理装置５０は、一般的なコンピュータのハードウェア構成を有する情報処理装置、又は複数の情報処理装置を含むシステムである。伝送管理装置５０は、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８、ネットワークＩ／Ｆ２０９、キーボード２１１、マウス２１２、ＣＤ−ＲＯＭ（Compact Disc）ドライブ２１４、及びバス２１０等を有する。
【００６３】
ＣＰＵ２０１は、例えば、ＲＯＭ２０２、ＨＤ２０４等に格納されたプログラムやデータを読出し、処理を実行することにより、伝送管理装置５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６４】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６５】
ネットワークＩ／Ｆ２０９は、伝送ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００６６】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６７】
なお、上記の伝送管理装置５０のハードウェア構成はあくまで一例である。例えば、ディスプレイ２０８、キーボード２１１、マウス２１２等は、伝送管理装置５０の外部に外付けされているものであっても良い。
【００６８】
また、上記の伝送管理装置５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、上記の伝送管理装置５０用のプログラムは、ＨＤ２０４に記憶するものであっても良いし、予めＲＯＭ２０２に記憶されたもの等であっても良い。
【００６９】
また、中継装置３０は、上記伝送管理装置５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７０】
さらに、プログラム提供装置９０は、上記伝送管理装置５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７１】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００７２】
＜機能構成＞
図６は、一実施形態に係る伝送システムの機能構成図である。図６に示すように、端末１０、中継装置３０及び伝送管理装置５０は、伝送ネットワーク２を介して、互いに通信可能に接続されている。なお、図１に示したプログラム提供装置９０は、本実施形態に係る通信に直接関係しないため、図６では図示が省略されている。
【００７３】
《伝送管理装置の機能構成》
伝送管理装置（伝送管理システム）５０は、送受信部５１、認証部５２、状態管理部５３、端末抽出部５４、端末状態取得部５５、セッション管理部５６、拠点情報管理部５７、参加端末情報管理部５８、音声入力制御部５９、音声出力制御部６０、及び記憶・読出部６１等を有する。これら各部は、ＨＤ２０４からＲＡＭ２０３上に展開された伝送管理用プログラムを、ＣＰＵ２０１が実行することによって実現される機能である。また、伝送管理装置５０は、例えば、ＨＤ２０４等により構成される記憶部５０００を有する。
【００７４】
ここで、伝送管理装置５０が、記憶部５０００に記憶して管理する情報について説明する。図７、８は、一実施形態に係る伝送管理装置が管理する情報の例を示す図である。
【００７５】
（認証管理テーブル）
伝送管理装置５０の記憶部に記憶された認証管理ＤＢ（Database）５００２には、例えば、図７（ａ）に示されているような認証管理テーブル７０１が含まれる。認証管理テーブル７０１では、伝送管理装置５０によって管理される各端末１０を識別する識別情報である端末ＩＤに対して、各パスワードが関連付けられて管理されている。例えば、図７（ａ）に示した認証管理テーブル７０１は、端末ＩＤ「０１ａａ」に対応するパスワードが「ａａａａ」であることを示している。
【００７６】
（宛先リスト管理テーブル）
伝送管理装置５０の記憶部に記憶された宛先リスト管理ＤＢ５００４には、例えば、図７（ｂ）に示されるような宛先リスト管理テーブル７０２が含まれる。宛先リスト管理テーブル７０２では、要求元端末の端末ＩＤである要求元端末ＩＤと、宛先端末の端末ＩＤである宛先端末ＩＤとが対応付けられて管理されている。ここで、要求元端末とは通信セッションの開始を要求する要求情報の要求元の端末１０である。また、宛先端末とは、要求元端末が要求情報の宛先とすることのできる端末１０であり、宛先の候補として登録されている端末である。
【００７７】
例えば、図７（ｂ）に示した宛先リスト管理テーブル７０２は、端末ＩＤが「０１ａｂ」である端末１０から通信セッションの開始を要求することのできる宛先端末は、端末ＩＤが「０１ａａ」、「０１ｃａ」、「０１ｃｂ」の端末１０であることが示されている。
【００７８】
（端末管理テーブル）
伝送管理装置５０の記憶部に記憶された端末管理ＤＢ５００３には、例えば、図７（ｃ）に示されるような端末管理テーブル７０３が含まれる。端末管理テーブル７０３では、各端末１０の端末ＩＤ毎に、各端末１０の宛先名（以下、「端末名」と呼ぶ）と、各端末１０の稼動状態と、受信日時と、端末１０のＩＰアドレスとが関連付けられて管理されている。受信日時は、伝送システム１にログインするためのログイン要求情報を伝送管理装置５０が受信した日時である。
【００７９】
例えば、図７（ｃ）に示した端末管理テーブル７０３は、端末ＩＤが「０１ａａ」の端末１０に対して、端末名が「東京事業所  ＡＡ端末」で、稼動状態が「オンライン（伝送中）」であることを示している。また、図７（ｃ）に示した端末管理テーブル７０３は、伝送管理装置５０でログイン要求情報が受信された日時が「２０ｘｘ年３月３日の１２時００分」で、端末１０のＩＰアドレスが「１．１．１．１」であることを表している。
【００８０】
ここで、端末管理テーブル７０３の端末ＩＤは、端末１０が伝送システム１に登録されるときに、ユニークに割り当てられ、端末名は、伝送管理装置５０の管理者によって登録又は変更される。なお、端末名は、端末１０から伝送管理装置５０に対してなされる要求に応じて、登録又は変更されても良い。
【００８１】
また、稼動状態が「オンライン（伝送可能）」とは、端末１０が伝送システム１にログインした状態で、通信セッションに参加していない状態であることを表す。「オンライン（伝送中）」とは、端末１０が伝送システム１にログインした状態で、通信セッションに参加している状態であることを表す。音データ状態が「オフライン」とは、端末１０が伝送システム１にログインしていない状態であることを表す。
【００８２】
（セッション管理テーブル）
伝送管理装置５０の記憶部５０００に記憶されたセッション管理ＤＢ５００５には、例えば、図８（ａ）に示されているようなセッション管理テーブル８０１が含まれる。セッション管理テーブル８０１には、通信セッションを識別する識別情報であるセッションＩＤ毎に、通信セッションに参加している端末１０（以下、参加端末と呼ぶ）を識別する端末ＩＤである参加端末ＩＤが記憶されている。
【００８３】
例えば、図８（ａ）に示されているセッション管理テーブル８０１において、セッションＩＤ「ＳＥ００２」の通信セッションには、端末ＩＤが「０１ｄａ」、「０１ｄｂ」の端末１０が参加していることが示されている。
【００８４】
（拠点情報管理テーブル）
伝送管理装置５０の記憶部５０００に記憶された拠点管理ＤＢ５００６には、例えば、図８（ｂ）に示されるような拠点情報管理テーブル８０２が含まれる。図８（ｂ）の例では、拠点情報管理テーブル８０２には、「講演会」毎に、講演会が開催される「拠点」の情報が対応付けて記憶されている。
【００８５】
「講演会」は、講演会（第１のセッションの一例）を特定するための情報（名前、識別情報等）である。「拠点」は、「講演会」が開催される拠点を特定するための情報（名前、識別情報等）である。
【００８６】
（参加端末情報管理テーブル）
伝送管理装置の記憶部５０００に記憶された参加端末管理ＤＢ５００７には、例えば、図８（ｃ）に示されるような参加端末情報管理テーブル８０３が含まれる。図８（ｃ）の例では、参加端末情報管理テーブル８０３には、「講演会」、「拠点」、「端末ＩＤ」、「話者端末」、及び「拠点代表端末」等の情報を含む。参加端末情報管理テーブル８０３は、講演会に使用する端末１０状態を管理するための情報である。
【００８７】
「端末ＩＤ」は、端末１０を識別するための識別情報である。「講演会」は、端末ＩＤに対応する端末１０が使用される講演会を特定するための情報である。「拠点」は、端末ＩＤに対応する端末１０が所属する拠点を示す情報である。
【００８８】
「話者端末」は、講演会（第１のセッション）において、各端末ＩＤに対応する端末１０の音声入力の状態を示す情報であり、「１」は音声入力がオンであることを示しており、「０」は、音声入力がオフであることを示している。「話者端末」の情報は、伝送管理装置５０の音声入力制御部５９によって、講演会（第１のセッション）に参加している端末１０のうち、１台の端末１０のみ「１」となるように制御される。
【００８９】
「拠点代表端末」は、講演会（第１のセッション）において、端末ＩＤに対応する端末１０の音声出力の状態を示す情報であり、「１」は音声入力がオンであることを示しており、「０」は、音声入力がオフであることを示している。「拠点代表端末」の情報は、伝送管理装置５０の音声出力制御部６０によって、講演会（第１のセッション）が開催される拠点毎に、１つの端末１０のみ「１」となるように制御される。
【００９０】
ここで、図６に戻り、伝送管理装置５０の機能構成の説明を行う。
【００９１】
送受信部５１は、例えば、図５のネットワークＩ／Ｆ２０９、及び図５のＣＰＵ２０１で実行されるプログラム等によって実現され、伝送ネットワーク２を介して端末１０、及び中継装置３０等と各種データや情報の送受信を行う。
【００９２】
送受信部５１は、要求元端末に対して、要求元端末に対応する宛先端末ＩＤのリストである宛先リストと、宛先リストに含まれる各端末１０の稼動状態を示す状態情報とを、伝送ネットワーク２を介して送信する。また、送受信部５１は、宛先リストに含まれる各端末１０の稼動状態が変更された場合には、その都度、最新の状態情報を要求元端末に送信する。
【００９３】
認証部５２は、例えば、図５のＣＰＵ２０１で実行されるプログラムによって実現される。認証部５２は、送受信部５１を介して受信されたログイン要求情報に含まれている端末ＩＤ及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている端末ＩＤ及びパスワードが管理されているかを判断することによって端末１０の認証を行う。
【００９４】
状態管理部５３は、例えば、図５のＣＰＵ２０１で実行されるプログラムによって実現される。状態管理部５３は、ログイン要求してきた要求元端末の稼動状態を管理する。状態管理部５３は、例えば、要求元端末の端末ＩＤに対して、稼動状態、伝送管理装置５０でログイン要求情報が受信された受信日時及びＩＰアドレスを関連付けて端末管理ＤＢ５００３に含まれる端末管理テーブル７０３に記憶して、管理する。例えば、利用者が端末１０の電源スイッチ１０９の状態をオンからオフにする。このとき、状態管理部５３は、端末１０から送られてきた、電源をオフする旨の状態情報に基づいて、端末管理テーブル７０３における端末１０の稼動状態をオンラインからオフラインに変更する。
【００９５】
端末抽出部５４は、例えば、図５のＣＰＵ２０１で実行されるプログラムによって実現される。端末抽出部５４は、ログイン要求した要求元端末の端末ＩＤを検索キーとして、宛先リスト管理ＤＢ５００４に含まれる宛先リスト管理テーブル７０２を検索し、要求元端末に対する宛先端末の候補の端末ＩＤを抽出する。
【００９６】
また、端末抽出部５４は、ログイン要求してきた要求元端末の端末ＩＤを検索キーとして、宛先リスト管理テーブル７０２を検索し、要求元端末の端末ＩＤを宛先端末の候補として登録している他の要求元端末の端末ＩＤも抽出する。
【００９７】
端末状態取得部５５は、例えば、図５のＣＰＵ２０１で実行されるプログラムによって実現される。端末状態取得部５５は、端末抽出部５４によって抽出された宛先端末の候補の端末ＩＤを検索キーとして、端末管理ＤＢ５００３に含まれる端末管理テーブル７０３を検索し、検出された端末ＩＤ毎に稼動状態を読み出す。
【００９８】
これにより、端末状態取得部５５は、ログイン要求してきた要求元端末に対する宛先端末の候補の稼動状態を取得することができる。また、端末状態取得部５５は、端末抽出部５４によって抽出された端末ＩＤを検索キーとして、端末管理ＤＢ５００３を検索し、ログイン要求してきた要求元端末の稼動状態も取得する。
【００９９】
セッション管理部５６は、例えば、図５のＣＰＵ２０１で実行されるプログラムによって実現され、前述した図８（ａ）に示されるようなセッション管理テーブル８０１を含むセッション管理ＤＢ５００５を、記憶部５０００に記憶して管理する。これにより、セッション管理部５６は、各通信セッションに参加している端末１０の情報（端末ＩＤ）を管理する。
【０１００】
また、セッション管理部５６は、通信セッションの開始処理、終了処理、参加処理、及びセッションを識別するセッションＩＤの生成処理等、通信セッションに関する様々な処理を行う。
【０１０１】
拠点情報管理部５７は、例えば、図５のＣＰＵ２０１で実行されるプログラムによって実現され、前述した図８（ｂ）に示されるような拠点情報管理テーブル８０２を含む拠点管理ＤＢ５００６を、記憶部５０００に記憶して管理する。これにより、拠点情報管理部５７は、例えば、講演会（第１のセッション）が開催される複数の拠点の情報を管理することができる。
【０１０２】
例えば、講演会のスタッフが、伝送管理装置５０を用いて拠点情報の登録操作を行うと、拠点情報管理部５７は、図９（ａ）に示すような講演会の登録画面９１０を、ディスプレイ２０８に表示させる。講演会のスタッフは、講演会の登録画面９１０における講演会の名前の入力欄９１１に、講演会の名前を入力し、「登録」ボタン９１２を選択すると、講演会の名前が登録される。
【０１０３】
続いて、伝送管理装置５０の拠点情報管理部５７は、図９（ｂ）に示すような拠点の登録画面９２０を、ディスプレイ２０８に表示させる。講演会のスタッフは、拠点の登録画面９２０のプルダウンメニュー９２１から、図９（ａ）で登録した講演会を選択する。次に、講演会のスタッフは、拠点名の入力欄９２２に拠点名を入力し、「拠点の追加」ボタン９２４を選択すると、拠点名が拠点一覧９２３に登録される。
【０１０４】
講演会のスタッフは、拠点名を削除する場合、拠点一覧９２３から、削除する拠点名を選択し、「拠点の削除」ボタン９２５を選択する。講演会のスタッフが、「登録」ボタン９２６を選択すると、拠点情報管理部５７は、拠点一覧９２３に表示された拠点を、拠点情報管理テーブル８０２に登録する。
【０１０５】
参加端末情報管理部５８は、例えば、図５のＣＰＵ２０１で実行されるプログラムによって実現され、前述した図８（ｃ）に示されるような参加端末情報管理テーブル８０３を含む参加端末管理ＤＢ５００７を、記憶部５０００に記憶して管理する。これにより、参加端末情報管理部５８は、例えば、講演会（第１のセッション）が開催される複数の拠点に所属し、講演会に参加する端末１０の情報を管理することができる。
【０１０６】
音声入力制御部５９は、例えば、図５のＣＰＵ２０１で実行されるプログラムによって実現され、図８（ｃ）に示す参加端末情報管理テーブル８０３において、講演会毎に、「話者端末」の情報が、１台の端末１０のみ「１」となるように制御する。例えば、音声入力制御部５９は、講演会（第１のセッション）において、コンテンツデータを配信する講演者の端末１０Ａの音声の入力を許可すると共に、聴講者の端末１０Ｂ、端末１０Ｃの音声の入力を禁止する制御を行う。
【０１０７】
音声出力制御部６０は、例えば、図５のＣＰＵ２０１で実行されるプログラムによって実現され、図８（ｃ）に示す参加端末情報管理テーブル８０３において、講演会が開催される拠点毎に、「拠点代表端末」の情報が、１つの端末１０のみ「１」となるように制御する。例えば、音声出力制御部６０は、例えば、図３に示す拠点Ｂにおいて、講演者の端末１０Ａとは異なる拠点に所属する１台の端末１０Ｃの音声出力を許可し、他の端末１０Ｂ−３、１０Ｂ−４の音声の出力を禁止する制御を行う。
【０１０８】
記憶・読出部６１は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１０９】
記憶部５０００は、例えば、図５のＨＤ２０４、ＨＤＤ２０５、及び図５のＣＰＵ２で実行されるプログラム等によって実現され、前述した各ＤＢ等の様々な情報を記憶する記憶手段である。
【０１１０】
《端末の機能構成》
端末１０は、送受信部１１、操作入力受付部１２、ログイン要求部１３、撮像部１４、音声入力部１５、音声出力部１６、表示制御部１７、セッション制御部１８、及び記憶・読出部１９等を有する。上記の各部は、フラッシュメモリ１０４からＲＡＭ１０３上に展開された端末制御プログラムが、ＣＰＵ１０１で実行されることにより実現される機能である。また、端末１０は、ＲＡＭ１０３、フラッシュメモリ１０４等によって構成される記憶部１０００を有する。
【０１１１】
送受信部１１は、図４に示されているＣＰＵ１０１で実行されるプログラム、及び図４に示されているネットワークＩ／Ｆ１１１等によって実現され、伝送ネットワーク２を介して他の端末１０、中継装置３０、及び伝送管理装置５０等とデータの伝送を行う。
【０１１２】
また、送受信部１１は、宛先端末と通信セッションを開始する前から、伝送管理装置５０により、通信セッションの接続先の候補としての各端末１０の状態を示す各状態情報の受信を開始する。状態情報は、各端末１０がオンラインかオフラインかの稼動状態を表すだけでなく、オンラインで通信可能であるか、オンラインで通信中であるか等の稼動状態を表しても良い。さらに、状態情報は、各端末１０が参加する通信セッションを識別する識別情報であるセッションＩＤ等を含んでいても良い。
【０１１３】
操作入力受付部１２は、例えば、図４に示されているＣＰＵ１０１で実行されるプログラム、及び図４に示されている操作ボタン１０８、電源スイッチ１０９等によって実現され、利用者による各種入力を受け付ける。例えば、利用者が、図４に示されている電源スイッチ１０９をオンにすると、図６に示されている操作入力受付部１２が電源オンを受け付けて、電源をオンに制御する。また、操作入力受付部１２は、宛先選択画面における宛先の選択操作等を、例えば、操作ボタン１０８の押下等により受け付ける。
【０１１４】
ログイン要求部１３は、例えば、図４に示されているＣＰＵ１０１で実行されるプログラムによって実現される。ログイン要求部１３は、例えば、上記電源オンの受付を契機として、送受信部１１から伝送ネットワーク２を介して伝送管理装置５０に、ログインを要求する旨を示すログイン要求情報、及び要求元端末の現時点のＩＰアドレスを自動的に送信する。また、利用者が電源スイッチ１０９をオンの状態からオフにすると、送受信部１１が伝送管理装置５０へ電源をオフする旨の状態情報を送信した後に、操作入力受付部１２が電源をオフにする。これにより、伝送管理装置５０側では、端末１０が電源オンから電源オフになったことを把握することができる。
【０１１５】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【０１１６】
音声入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。また、音声入力部１５は、端末１０の音声入力のオン、オフに関する制御を行う。
【０１１７】
例えば、音声入力部１５は、伝送管理装置５０からの制御に従って、端末１０の音声入力のオン（有効）、又はオフ（無効）を制御する。
【０１１８】
音声出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。また、音声出力部１６は、端末１０の音声出力のオン、オフに関する制御を行う。
【０１１９】
例えば、音声出力部１６は、伝送管理装置５０からの制御に従って、端末１０の音声出力のオン（有効）、又はオフ（無効）を制御する。
【０１２０】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、通信の宛先を選択するための宛先選択画面等の様々な表示画面を、ディスプレイ１２０等の表示部に表示させる。
【０１２１】
セッション制御部１８は、例えば、図４に示されているＣＰＵ１０１で実行されるプログラムによって実現され、端末１０による通信セッションの開始、参加、退出等の制御を行う。
【０１２２】
記憶・読出部１９は、図４に示されているＣＰＵ１０１で実行されるプログラム、及び図４に示されているＳＳＤ１０５等によって実現され、記憶部１０００に対する各種データの記憶、記憶部１０００に記憶された各種データを読出等の処理を行う。
【０１２３】
記憶部１０００は、例えば、図４のフラッシュメモリ１０４、ＲＡＭ１０３、及び図４のＣＰＵ１０１で実行されるプログラム等によって実現され、例えば、端末１０の識別するための識別情報（端末ＩＤ）、パスワード等の様々な情報を記憶する。また、記憶部１０００は、宛先端末とビデオ会議を行う際に受信される画像データ及び音データの受信バッファ等としても用いられる。
【０１２４】
＜処理の流れ＞
続いて、伝送システム１における伝送管理方法の処理の流れについて説明する。
【０１２５】
（参加端末情報の登録処理）
図１０は、一実施形態に係る参加端末情報の登録処理の例を示すシーケンス図である。この処理は、例えば、図８（ｃ）に示す参加端末情報管理テーブル８０３に、端末１０の情報を登録する処理の例を示している。
【０１２６】
なお、図１０において、例えば、図２で説明した管理情報用セッションｓｅｉを用いて、各情報の送受信が行われるものとする。
【０１２７】
ステップＳ１００１で、端末１０の利用者が、端末１０の電源スイッチ１０９をオンにすると、操作入力受付部１２が電源オンを受け付けて、端末１０の電源をオンに制御する。
【０１２８】
ステップＳ１００２で、ログイン要求部１３は、電源オンの受付を契機として、端末１０の送受信部１１から伝送ネットワーク２を介して伝送管理装置５０にログインを要求するログイン要求情報を送信する。このログイン要求情報には、ログイン要求元の端末１０を識別するための要求元端末ＩＤ及びパスワードが含まれている。
【０１２９】
ステップＳ１００３で、伝送管理装置５０の認証部５２は、送受信部５１を介して受信したログイン要求情報に含まれている端末ＩＤ及びパスワードを検索キーとして、端末認証を行う。
【０１３０】
ここで、認証部５２によって、検索キーと同一の端末ＩＤ及びパスワードが管理されていないと判断された場合、すなわち、正当な利用権限を有する端末１０からのログイン要求でないと判断されたとする。このとき、送受信部５１は、認証部５２によって得られた認証結果を表す認証結果情報をログイン要求してきた端末１０に伝送ネットワーク２を介して送信し、準備段階の動作は終了する。
【０１３１】
一方、認証部５２によって、検索キーと同一の端末ＩＤ及びパスワードが管理されていると判断された場合、すなわち、正当な利用権限を有する端末１０からのログイン要求であると判断されたとする。このとき、ステップＳ１００４４において、状態管理部５３は、端末管理ＤＢ５００３含まれる端末管理テーブル７０３に、端末１０の端末ＩＤ、端末１０のＩＰアドレス、稼動状態、受信日時などを関連付けて記憶する。
【０１３２】
ステップＳ１００５で、伝送管理装置５０の送受信部５１は、認証部５２によって得られた認証結果を表す認証結果情報をログイン要求してきた端末１０に伝送ネットワーク２を介して送信する。
【０１３３】
ステップＳ１００６において、端末１０の利用者が、伝送システム１に対応するアプリケーションプログラム（以下、アプリと呼ぶ）を起動させる。
【０１３４】
ステップＳ１００７において、端末１０のセッション制御部１８は、端末１０のマイクをミュート（音声入力をオフ）に設定し、スピーカをミュート（音声入力をオフ）に設定する。
【０１３５】
ステップＳ１００８において、端末１０のセッション制御部１８は、伝送管理装置５０に、講演会の一覧を要求する要求情報を送信する。この要求情報には、例えば、端末１０の端末ＩＤ（要求元端末ＩＤ）が含まれる。
【０１３６】
ステップＳ１００９において、伝送管理装置５０の拠点情報管理部５７は、例えば、図８（ｂ）に示すような拠点情報管理テーブル８０２から、講演会の一覧を抽出し、ステップＳ１０１０において、抽出された講演会の一覧を端末１０に送信する。
【０１３７】
ステップＳ１０１１において、端末１０の表示制御部１７は、例えば、図１１（ａ）に示すような講演会の選択画面１１００を、ディスプレイ１２０等の表示部に表示させて、操作入力受付部１２により、利用者の選択操作を受付する。
【０１３８】
図１１（ａ）に示す講演会の選択画面１１００には、講演会の名前を含む複数の選択ボタンが表示されている。利用者が、選択画面１１００から、例えば、「新規事業部方針説明会」を選択するボタン１１０１を選択すると、端末１０の表示制御部１７は、例えば、図１１（ｂ）に示すようなダイアログ１１０２を、選択画面１１００に表示させる。端末１０の利用者は、図１１（ｂ）に示すようなダイアログ１１０２から、「はい」ボタン１１０３を選択することにより、講演会の選択を確定することができる。
【０１３９】
ステップＳ１０１２において、端末１０のセッション制御部１８は、伝送管理装置５０に拠点の一覧を要求する要求情報を送信する。この要求情報には、例えば、端末１０の端末ＩＤ（要求元端末ＩＤ）と、ステップＳ１０１１で選択された講演会の名前等が含まれる。
【０１４０】
ステップＳ１０１３において、伝送管理装置５０の拠点情報管理部５７は、例えば、図８（ｂ）に示すような拠点情報管理テーブル８０２から、講演会に対応する拠点の一覧を抽出し、ステップＳ１０１４において、抽出された拠点の一覧を端末１０に送信する。
【０１４１】
ステップＳ１０１５において、端末１０の表示制御部１７は、例えば、図１２（ａ）に示すような拠点の選択画面１２００を、ディスプレイ１２０等の表示部に表示させて、操作入力受付部１２により、利用者の選択操作を受付する。
【０１４２】
図１２（ａ）に示す拠点の選択画面１２００には、拠点の名前を含む複数の選択ボタンが表示されている。利用者が、選択画面１２００から、例えば、「東京事業所会議室Ａ」の選択ボタン１２０１を選択すると、端末１０の表示制御部１７は、例えば、図１２（ｂ）に示すようなダイアログ１２０２を、選択画面１２００に表示させる。端末１０の利用者は、図１２（ｂ）に示すようなダイアログ１２０２から、「はい」ボタン１２０３を選択することにより、拠点の選択を確定することができる。
【０１４３】
ステップＳ１０１６において、端末１０のセッション制御部１８は、アプリ（講演会用のアプリケーション）で使う端末１０の情報を、伝送管理装置５０に送信する。この端末１０の情報には、例えば、講演会名、拠点名、端末１０の端末ＩＤ等が含まれる。
【０１４４】
ステップＳ１０１７において、伝送管理装置５０の参加端末情報管理部５８は、端末１０から受信した情報を、例えば、図８（ｃ）に示す参加端末情報管理テーブル８０３の、講演会、拠点、及び端末ＩＤの項目に記憶し、管理する。
【０１４５】
（宛先選択画面の表示処理）
図１３は、第１の実施形態に係る宛先選択画面の表示処理の例を示すシーケンス図である。この処理は、端末１０のディスプレイ１２０等の表示部に、端末１０と通信セッションが可能な他の端末１０の一覧である宛先選択画面を表示する処理の例を示している。
【０１４６】
ステップＳ１３０１において、端末１０の表示制御部１７は、伝送管理装置５０に、宛先リストの取得を要求する要求情報を送信する。
【０１４７】
ステップＳ１３０２において、伝送管理装置５０の端末抽出部５４は、図７（ｂ）に示すような宛先リスト管理テーブル７０２から、端末１０の端末ＩＤに対応する宛先端末ＩＤを抽出する。
【０１４８】
ステップＳ１３０３において、伝送管理装置５０の端末抽出部５４は、図７（ｃ）に示すような端末管理テーブル７０３から、抽出された宛先端末ＩＤに対応する宛先名を抽出する。
【０１４９】
ステップＳ１３０４において、伝送管理装置５０の送受信部５１は、抽出された宛先端末ＩＤと、宛先名とを含む宛先リスト情報を、端末１０に送信する。
【０１５０】
ステップＳ１３０５において、端末１０の記憶・読出部１９は、伝送管理装置５０から送信された宛先リスト情報を、例えば、図４のＲＡＭ１０３等の揮発性記憶部に記憶する。
【０１５１】
ステップＳ１３０６において、伝送管理装置５０の端末抽出部５４は、端末管理テーブル７０３から、抽出された宛先端末ＩＤに対応する稼動状態を取得する。
【０１５２】
ステップＳ１３０７において、伝送管理装置５０の送受信部５１は、宛先候補となる端末１０、及び要求元端末の端末ＩＤと、稼働状態とを含む端末の状態情報を、端末１０に送信する。
【０１５３】
ステップＳ１３０８において、端末１０の記憶・読出部１９は、伝送管理装置５０から送信された端末の状態情報を、端末１０の揮発性記憶部に記憶する。
【０１５４】
ステップＳ１３０９において、端末１０の表示制御部１７は、端末１０の揮発性記憶部に記憶されている宛先リスト情報、端末の状態情報に基づいて、宛先リストを作成し、例えば、図１４（ａ）に示すような宛先選択画面１４００を、表示部に表示させる。
【０１５５】
図１４（ａ）に示す宛先選択画面１４００には、宛先の候補となる端末１０を選択するための複数の選択ボタン１４０１が表示されている。各選択ボタン１４０１には、宛先の候補となる端末１０の状態を示す情報１４０２と、端末ＩＤ１４０３とが含まれる。
【０１５６】
端末１０の利用者が、例えば、図１４（ａ）に示すような宛先選択画面１４００から、端末ＩＤ「０１ａａ」を含む選択ボタン１４０１を選択すると、端末１０の表示制御部１７は、例えば、図１４（ｂ）に示すようなダイアログ１４０４を表示させる。端末１０の利用者は、図１４（ｂ）に示すようなダイアログ１４０４から、「はい」ボタン１４０５を選択することにより、宛先端末の選択を確定することができる。
【０１５７】
（話者端末の設定処理）
図１５は、第１の実施形態に係る話者端末の設定処理の例を示すフローチャートである。この処理は、例えば、図３に示すような講演会において、講演者３０３が、講演者の端末１０Ａを、話者端末として登録するための処理の例を示している。
【０１５８】
ステップＳ１５０１において、講演者３０３は、端末１０Ａのマイクボタンを押す。
【０１５９】
ステップＳ１５０２において、端末１０Ａのセッション制御部１８は、伝送管理装置５０に、音声入力のオンを要求する要求情報を送信する。
【０１６０】
ステップＳ１５０３において、伝送管理装置５０の参加端末情報管理部５８は、例えば、図８（ｃ）に示すような参加端末情報管理テーブル８０３に「話者端末＝１」の端末１０があるか否かを判断する。
【０１６１】
参加端末情報管理テーブル８０３に「話者端末＝１」の端末１０がある場合、ステップＳ１５０４において、伝送管理装置５０の参加端末情報管理部５８は、端末１０Ａに、音声入力のオンを拒否する音声入力拒否情報を送信する。
【０１６２】
一方、参加端末情報管理テーブル８０３に「話者端末＝１」の端末１０がない場合、伝送管理装置５０の参加端末情報管理部５８は、処理をステップＳ１５０５に移行させる。
【０１６３】
ステップＳ１５０５に移行すると、伝送管理装置５０の参加端末情報管理部５８は、図８（ｃ）に示すような参加端末情報管理テーブル８０３において、端末１０Ａに対応する「話者端末」の情報を「１」に変更する。
【０１６４】
ステップＳ１５０６において、伝送管理装置５０の参加端末情報管理部５８は、端末１０Ａに、音声入力のオンを許可する音声入力許可情報を送信する。
【０１６５】
ステップＳ１５０７において、端末１０Ａの音声入力部１５は、マイクのミュートを解除する（音声入力をオンする）。
【０１６６】
（拠点代表端末の設定処理）
図１５は、第１の実施形態に係る拠点代表端末の設定処理の例を示すフローチャートである。この処理は、例えば、図３に示すような講演会において、聴講者３０４−９が、端末１０Ｃを、拠点代表端末として設定するための処理の例を示している。
【０１６７】
ステップＳ１６０１において、聴講者が端末１０Ｃのスピーカボタンを押す。
【０１６８】
ステップＳ１６０２において、端末１０Ｃのセッション制御部１８は、伝送管理装置５０に、音声出力のオンを要求する要求情報を送信する。
【０１６９】
ステップＳ１６０３において、伝送管理装置５０の参加端末情報管理部５８は、例えば、図８（ｃ）に示すような参加端末情報管理テーブル８０３において、端末１０と同じ拠点内に、「拠点代表端末＝１」の端末１０があるか否かを判断する。
【０１７０】
参加端末情報管理テーブル８０３において、同じ拠点内に「拠点代表端末＝１」の端末１０がある場合、ステップＳ１６０４において、伝送管理装置５０の参加端末情報管理部５８は、端末１０Ｃに、音声出力のオンを拒否する音声出力拒否情報を送信する。
【０１７１】
一方、参加端末情報管理テーブル８０３に「拠点代表端末＝１」の端末１０がない場合、伝送管理装置５０の参加端末情報管理部５８は、処理をステップＳ１６０５に移行させる。
【０１７２】
ステップＳ１６０５に移行すると、伝送管理装置５０の参加端末情報管理部５８は、図８（ｃ）に示すような参加端末情報管理テーブル８０３において、端末１０Ｃ（例えば、端末ＩＤ「０１ｂａ」の端末）に対応する「拠点代表端末」の情報を「１」に変更する。
【０１７３】
ステップＳ１６０６において、伝送管理装置５０の参加端末情報管理部５８は、端末１０Ｃと同じ拠点にある端末１０の端末ＩＤを、参加端末管理ＤＢ５００７に含まれる参加端末情報管理テーブル８０３から取得する。
【０１７４】
ステップＳ１６０７において、伝送管理装置５０の参加端末情報管理部５８は、端末１０Ｃに、音声出力のオンを許可する音声出力許可情報を送信する。
【０１７５】
ステップＳ１６０８において、端末１０Ｃの音声出力部１６は、スピーカのミュートを解除する（音声出力をオンする）。
【０１７６】
上記の図１５、１６に示す処理により、伝送管理装置５０の参加端末情報管理部５８は、図８（ｃ）に示すような参加端末情報管理テーブル８０３の「話者端末」、及び「拠点代表端末」の情報を管理することができる。
【０１７７】
（通信処理）
図１７は、第１の実施形態に係る通信処理の例を示すシーケンス図である。講演者の端末１０Ａと、聴講者の端末１０Ｂと、拠点代表端末１０Ｃとの間で開催される通信セッションの処理の一例を示している。
【０１７８】
ステップＳ１７０１において、聴講者の端末１０Ｂの操作入力受付部１２は、例えば、図１４に示すような宛先選択画面１４００に対する聴講者の宛先選択操作を受付する。
【０１７９】
ステップＳ１７０２において、端末１０Ｂのセッション制御部１８は、通信セッションの開始を要求する開始要求情報を、伝送管理装置５０に送信する。なお、この開始要求情報には、例えば、要求元端末ＩＤ、及び宛先端末ＩＤ等が含まれる。
【０１８０】
ステップＳ１７０３において、伝送管理装置５０のセッション管理部５６は、セッションＩＤを生成し、例えば、図８（ａ）に示すようなセッション管理テーブル８０１に、生成したセッションＩＤと、要求元端末ＩＤと、宛先端末ＩＤとを記憶する。
【０１８１】
ステップＳ１７０４において、伝送管理装置５０のセッション管理部５６は、宛先端末ＩＤに基づいて、宛先となる端末１０Ａに開始要求情報を送信する。この開始要求情報には、例えば、要求元端末ＩＤ、セッションＩＤ、及び中継装置情報（例えば、中継装置のＩＰアドレス等）が含まれる。
【０１８２】
ステップＳ１７０５において、講演者の端末１０Ａは、例えば、講演者の確認操作を受付すると、開始応答情報を伝送管理装置５０に送信する。この開始応答情報には、例えば、要求元端末ＩＤ、宛先端末ＩＤ、及びセッションＩＤ等が含まれる。
【０１８３】
ステップ１７０６において、伝送管理装置５０のセッション管理部５６は、端末１０Ｂに、通信セッションの開始を指示する開始指示情報を送信する。この開始指示情報には、例えば、セッションＩＤ、及び中継装置情報等が含まれる。
【０１８４】
ステップＳ１７０７において、伝送管理装置５０のセッション管理部５６は、端末１０Ａに、通信セッションの開始を指示する開始指示情報を送信する。この開始指示情報には、例えば、セッションＩＤ、及び中継装置情報等が含まれる。
【０１８５】
ステップＳ１７０８において、端末１０Ｂは、通知されたセッションＩＤと中継装置情報とを用いて、中継装置３０との間で、コンテンツデータ用のセッション（通信セッション）を確立する。
【０１８６】
ステップＳ１７０９において、端末１０Ａは、通知されたセッションＩＤと中継装置情報とを用いて、中継装置３０との間で、コンテンツデータ用のセッション（通信セッション）を確立する。
【０１８７】
中継装置３０は、端末１０Ｂと端末１０Ａとを、セッションＩＤに基づいて同じ通信セッションに参加させることにより、端末１０Ｂと端末１０Ａとの間でコンテンツデータの伝送が可能となる。
【０１８８】
続いて、ステップＳ１７１０において、拠点代表端末である端末１０Ｃは、伝送管理装置５０に、通信セッション（例えば、講演会）への参加を要求する参加要求情報を送信する。
【０１８９】
ステップＳ１７１１において、伝送管理装置５０のセッション管理部５６は、端末１０Ｃの端末ＩＤをセッション管理テーブル８０１に登録し、端末１０Ａに参加要求情報を送信する。この参加要求情報には、例えば、要求元端末ＩＤとセッションＩＤとが含まれる。
【０１９０】
ステップＳ１７１２において、講演者の端末１０Ａは、例えば、講演者の確認操作を受付すると、参加応答情報を伝送管理装置５０に送信する。
【０１９１】
ステップ１７１３において、伝送管理装置５０のセッション管理部５６は、端末１０Ｃに、通信セッションへの参加を指示する参加指示情報を送信する。この参加指示情報には、例えば、セッションＩＤ、及び中継装置情報等が含まれる。
【０１９２】
ステップＳ１７１４において、端末１０Ｃは、通知されたセッションＩＤと中継装置情報とを用いて、中継装置３０との間で、コンテンツデータ用のセッション（通信セッション）を確立する。
【０１９３】
中継装置３０は、端末１０Ｃを、セッションＩＤに基づいて、端末１０Ａ、及び端末１０Ｂと同じ通信セッションに参加させることにより、端末１０Ｃと端末１０Ｂと端末１０Ａとの間でコンテンツデータの伝送が可能となる。
【０１９４】
このとき、講演者の端末１０Ａに表示される表示画面の例を図１８（ａ）に示す。図１８（ａ）の例では、講演者の端末１０Ａに表示される表示画面１８１０には、講演会の資料等の共有文書１８１１が表示されている。
【０１９５】
図１８（ｂ）は、聴講者の端末１０Ｂ、１０Ｃに表示される表示画面の例を示している。図１８（ｂ）の例では、聴講者の端末１０Ｂ、１０Ｃに表示される表示画面１８２０には、講演会の資料等の共有文書１８２１、講演者の映像１８２２、及び「質問する」ボタン１８２３等が表示されている。
【０１９６】
［第２の実施形態］
図１８（ｂ）に示す表示画面１８２０に表示されている「質問する」ボタン１８２３を選択することにより、聴講者は、通信セッションを、講演を行う通信セッションから、質疑応答を行う通信セッションへ移行可能である。第２の実施形態では、この質疑応答を行う通信セッションについて説明する。
【０１９７】
＜処理の流れ＞
図１９は、第２の実施形態に係る質疑応答処理の例を示すシーケンス図である。
【０１９８】
ステップＳ１９０１において、聴講者の端末１０Ｂ（第３の伝送端末）において、聴講者が、「質問する」ボタン１８２３の選択操作を行う。このとき、端末１０Ｂのディスプレイ１２０には、例えば、図２０（ａ）に示すような表示画面２０１０が表示される。
【０１９９】
ステップＳ１９０２において、端末１０Ｂは、質疑応答を行う通信セッションの開始を要求する質問開始の要求情報を、伝送管理装置５０に送信する。
【０２００】
ステップＳ１９０３において、伝送管理装置５０の音声入力制御部５９は、通信セッションで許可されている話者数を確認する。ここでは、講演を行う通信セッション（第１のセッション）で許可されている話者数が「１」であり、質疑応答を行う通信セッション（第２のセッション）で許可されている話者数が「２」であるものとする。
【０２０１】
ステップＳ１９０４において、伝送管理装置５０の音声入力制御部５９は、質疑応答を行う通信セッションの話者数を超えていない場合、講演者の端末１０Ａに、発言権を要求する要求情報を送信する。
【０２０２】
ステップＳ１９０５において、講演者の端末１０Ａが、質問を許可する操作を受け付けると、端末１０Ａのディスプレイ１２０には、例えば、図２０（ｂ）に示すような表示画面２０２０が表示される。図２０（ｂ）に示す表示画面２０２０には、聴講者の端末１０Ｂからの質問を許可するか否かを選択するダイアログ２０２１が表示されている。講演者は、ダイアログ２０２１の「はい」ボタン２０２２を選択することにより、聴講者の質問を許可することができる。
【０２０３】
ステップＳ１９０６において、発言を許可する許可情報を伝送管理装置５０に送信する。
【０２０４】
ステップＳ１９０７において、伝送管理装置５０の参加端末情報管理部５８は、例えば、図８（ｃ）に示すような参加端末情報管理テーブル８０３の、端末１０Ｂの端末ＩＤに対応する「話者端末」の情報を「１」に更新する。
【０２０５】
ステップＳ１９０８において、伝送管理装置５０の音声入力制御部５９は、端末１０Ｂに、音声入力を許可することを示す許可情報を送信する。
【０２０６】
ステップＳ１９０９において、端末１０Ｂの音声入力部１５は、マイクのミュートを解除（音声入力をオン）する。
【０２０７】
ステップＳ１９１０ａ、Ｓ１９１０ｂにおいて、端末１０Ｂと端末１０Ａとの間で、質疑応答が行われる。このとき、端末１０Ｂのディスプレイ１２０に表示される表示画面の例を図２１（ａ）に示す。図２１（ａ）に示す端末１０Ｂの表示画面２１１０には、図１８（ｂ）に示す端末１０Ｂの表示画面１８２０の「質問する」ボタン１８２３に代えて、「質問を終了する」ボタン２１１１が表示されている。
【０２０８】
ステップＳ１９１１において、端末１０Ｂの利用者（聴講者）は、図２１（ａ）に示す表示画面２１１０の「質問を終了する」ボタン２１１１を押す。
【０２０９】
ステップＳ１９１２において、端末１０Ｂのセッション制御部１８は、質疑応答の終了を要求する質問終了要求情報を、伝送管理装置５０に送信する。
【０２１０】
ステップＳ１９１３において、伝送管理装置５０の参加端末情報管理部５８は、例えば、図８（ｃ）に示すような参加端末情報管理テーブル８０３の、端末１０Ｂの端末ＩＤに対応する「話者端末」の情報を「０」に更新する。
【０２１１】
ステップＳ１９１４において、伝送管理装置５０の音声入力制御部５９は、端末１０Ｂに、音声入力のオフを指示する音声入力の制限情報を送信する。
【０２１２】
ステップＳ１９１５において、端末１０Ｂの音声入力部１５は、マイクをミュート（音声入力をオフ）する。
【０２１３】
図２０は、第２の実施形態に係る質疑応答処理の詳細な処理の一例を示すフローチャートである。この処理は、図１９におけるステップＳＳ１９０２〜Ｓ１９０９の処理の詳細な一例を示している。
【０２１４】
ステップＳ１９１１において、端末１０Ｂが、伝送管理装置５０に質問開始要求情報を送信する。
【０２１５】
ステップＳ２２０２において、伝送管理装置５０は、例えば、図８（ｃ）に示すような参加端末情報管理テーブル８０３を用いて、話者端末が１台であるか否かを判断する。
【０２１６】
話者端末が１台でない場合、伝送管理装置５０は、処理をステップＳ２２１０に移行させる。一方、話者端末が１台である場合、伝送管理装置５０は、処理をステップＳ２２０３に移行させる。
【０２１７】
ステップＳ２２０３に移行すると、伝送管理装置５０は、端末１０Ａに、質問を受付するか否かを確認するためのダイアログを表示させる。例えば、伝送管理装置５０は、端末１０Ａに、図２０（ｂ）に示すような表示画面２０２０を表示させる。
【０２１８】
ステップＳ２２０４において、図２０（ｂ）に示すような表示画面２０２０のダイアログ２０２１から、「はい」ボタン２０２２が選択されると、伝送管理装置５０は、処理をステップＳ２２０５に移行させる。
【０２１９】
一方、表示画面２０２０のダイアログ２０２１から、「いいえ」ボタンが選択されると、伝送管理装置５０は、処理をステップＳ２２１０に移行させる。
【０２２０】
ステップＳ２２０５に移行すると、端末１０Ａは、伝送管理装置５０に、発言を許可する旨の情報を送信する。
【０２２１】
ステップＳ２２０６において、伝送管理装置５０は、参加端末管理ＤＢ５００７に含まれる参加端末情報管理テーブル８０３における端末１０Ｂの「話者端末」に「１」を登録する。
【０２２２】
ステップＳ２２０７において、伝送管理装置５０は、端末１０Ｂに音声入力許可情報を送信する。
【０２２３】
ステップＳ２２０８において、端末１０Ｂのマイクミュートが解除（音声入力がオン）される。
【０２２４】
ステップＳ２２０９において、端末１０Ｂは、例えば、図２１（ａ）に示すような質疑応答中の表示画面２１１０を表示する。
【０２２５】
ステップＳ２１１０に移行すると、伝送管理装置５０は、端末１０Ｂに、例えば、図２１（ｂ）に示すような、質問ができないことを示すダイアログ２１２１を含む表示画面２１２０を表示させる。
【０２２６】
以上、本実施形態によれば、聴講者は、端末１０Ｂに表示される「質問する」ボタン１８２３を選択することにより、講演を行う通信セッション（第１のセッション）から、質疑応答を行う通信セッション（第２のセッション）への移行を要求することができる。
【０２２７】
なお、上記の各実施形態そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。
【符号の説明】
【０２２８】
１          伝送システム
１０        端末（伝送端末）
５０        伝送管理装置
５７        拠点情報管理部
５８        参加端末情報管理部
５９        音声入力制御部
６０        音声出力制御部
３０１      拠点Ａ
３０２      拠点Ｂ
【先行技術文献】
【特許文献】
【０２２９】
【特許文献１】特開２０１５−２１６５６９号公報
【図１】
2018019133.tif 000003
【図２】
2018019133.tif 000004
【図３】
2018019133.tif 000005
【図４】
2018019133.tif 000006
【図５】
2018019133.tif 000007
【図６】
2018019133.tif 000008
【図７】
2018019133.tif 000009
【図８】
2018019133.tif 000010
【図９】
2018019133.tif 000011
【図１０】
2018019133.tif 000012
【図１１】
2018019133.tif 000013
【図１２】
2018019133.tif 000014
【図１３】
2018019133.tif 000015
【図１４】
2018019133.tif 000016
【図１５】
2018019133.tif 000017
【図１６】
2018019133.tif 000018
【図１７】
2018019133.tif 000019
【図１８】
2018019133.tif 000020
【図１９】
2018019133.tif 000021
【図２０】
2018019133.tif 000022
【図２１】
2018019133.tif 000023
【図２２】
2018019133.tif 000024